(57)【特許請求の範囲】
【請求項１】
座体と、着座した人がもたれ掛かったときの背もたれ荷重を受ける背受け部材と、背受け部材の前面に取付く背もたれ用インナー部材とを備えており、
前記背受け部材の前面と背もたれ用インナー部材の裏面とに、背もたれ用インナー部材を背受け部材の前面に沿って下向き動させると互いに嵌合して背もたれ用インナー部材を前向き離反不能に保持する第１係合手段と、前記第１係合手段を嵌合状態に保持する第２係合手段とを設けており、
前記第２係合手段は、背もたれ用インナー部材の下部に設けた上向きの係合爪と、背受け部材の前面に突設したストッパーとで構成されていて、前記上向きの係合爪は手前に押すとストッパーから係合解除するようになっており、
更に、前記背もたれ用インナー部材の下部と背受け部材との間には、人が指を差し込んで前記上向きの係合爪を手前に押し曲げできる隙間を設けている、
椅子。
【請求項２】
前記背受け部材は人の腰を包むように平面視で前向き凹状に形成されている一方、前記背もたれ用インナー部材は、その下部が前記背受け部材と部分的に重なっており、
更に、前記背もたれ用インナー部材のうち背受け部材から上向きに露出した部分の裏面には背カバーを着脱自在に装着している、
請求項１に記載した椅子。
【発明の詳細な説明】
【０００１】
【発明の属する技術分野】
本発明は、椅子に関するものであり、特に、背もたれ用インナー部材を背受け部材に取付ける構造に関するものである。
【０００２】
【従来の技術】
椅子において、背もたれや座をアウターシェル（アウター部材）とインナーシェル（インナー部材）とを備えた構成にして、インナーシェルをアウターシェルに取付け、インナーシェルにクッションを張ることが行われている。
【０００３】
その例として、特開平１１−５６５１９号公報には、背もたれ用アウターシェルの前面に係止駒を複数個突設する一方、背もたれ用インナーシェルには受け部を設け、背もたれ用インナーシェルを背もたれ用アウターシェルに向けて前方から押し付けると、弾性に抗しての変形によって係止駒が受け部に嵌合するようにした構成が記載されている。
【０００４】
また、実用新案登録第２５３７７５９号号公報には、座用インナーシェルを座用アウターシェルに取付ける手段として、座用アウターシェルに、上端にスナップ爪を設けた上向きのボスを複数個突設する一方、座用インナーシェルには前記スナップ爪が弾性に抗しての変形によって嵌合するスナップ穴を設け、座用インナーシェルをアウターシェルに対して上方から押し付けることにより、スナップ爪をスナップ穴に嵌め込むことが記載されている。
【０００５】
更に、実用新案登録第２５９６９３０号公報には、背もたれ用アウターシェルに背たれ用インナーシェルを取付ける手段として、背もたれ用アウターシェルに矢尻型の係合突起を設ける一方、背もたれ用インナーシェルには、リング状のゴム座が装着された係合穴を設け、背もたれ用インナーシェルを前方からアウターシェルに向けて押し付けて、係合穴に装着したゴム座をアウターシェルの係合突起に嵌め込むことが記載されている。
【０００６】
【発明が解決しようとする課題】
従来におけるインナーシェルの取付け手段は、いずれにしても、アウターシェルとインナーシェルとのうち一方には雄型係合部を、他方には雌型係合部をそれぞれ設け、インナーシェルをアウターシェルに押し付けて、弾性変形によって雄型係合部と雌型係合部とを嵌め合わせる係合手段を採用している。
【０００７】
ところで、クッションの張り替えや修理、或いは廃棄後の分別等のため、インナーシェルはアウターシェルから取り外せることが好ましい。他方、通常の使用状態では、インナーシェルが簡単に外れないように取付け強度が高いほど好ましい。このように、インナーシェルの取付け構造については、相反する機能が要請される。
【０００８】
しかるに、従来のように単なる雄型係合部と雌型係合部とからなる係合手段による取付けでは、雄型係合部と雌型係合部との引っ掛かり強度が弱いと、例えばインナーシェルの縁に指を当てて手前に起こすとインナーシェルが簡単に外れてしまう不具合が生じやすくなる。
【０００９】
さりとて、取付け強度を高くするため雄型係合部と雌型係合部との引っ掛かり強度を強くすると、いわゆる嵌め殺しの状態になってクッションの張り替えや廃棄後の分別が著しく困難になる。
【００１０】
本発明は、このような現状を改善することを課題とするものである。
【００１１】
【課題を解決するための手段】
【００１２】
【００１３】
本願発明の椅子は、座体と、着座した人がもたれ掛かったときの背もたれ荷重を受ける背受け部材と、背受け部材の前面に取付く背もたれ用インナー部材とを備えた椅子において、前記背受け部材の前面と背もたれ用インナー部材の裏面とに、背もたれ用インナー部材を背受け部材の前面に沿って下向き動させると互いに嵌合して背もたれ用インナー部材を前向き離反不能に保持する第１係合手段と、前記第１係合手段を嵌合状態に保持する第２係合手段とを設けている。
【００１４】
そして、前記第２係合手段は、背もたれ用インナー部材の下部に設けた上向きの係合爪と、背受け部材の前面に突設したストッパーとで構成されていて、前記上向きの係合爪は手前に押すとストッパーから係合解除するようになっており、更に、前記背もたれ用インナー部材の下部と背受け部材との間には、人が指を差し込んで前記上向きの係合爪を手前に押し曲げできる隙間を設けている。
【００１５】
請求項２の発明は、請求項１において、前記背受け部材は人の腰を包むように平面視で前向き凹状に形成されている一方、前記背もたれ用インナー部材は、その下部が前記背受け部材と部分的に重なっており、更に、前記背もたれ用インナー部材のうち背受け部材から上向きに露出した部分の裏面には背カバーを着脱自在に装着している。
【００１６】
【発明の作用・効果】
本発明では、背もたれ用インナー部材は、第１係合手段によって前方に引き離し不能に保持される。
【００１７】
従って、背もたれ用インナー部材の縁に指をかけて引き起こそうとしても、背もたれ用インナー部材が外れることはない。このため、背もたれ用インナー部材を背受け部材に対して高い強度で取付けることができる。
【００１８】
そして、背もたれ用インナー部材の下部と背受け部材との間の隙間に指を入れて、上向きの係合爪を手前に押してストッパーから係合解除すると、第１係合手段の嵌合状態を解除することができる。従って、上向き係合爪をストッパーから軽い力で係合解除できるように設定しておくことにより、背もたれ用インナー部材を、背受け部材から簡単に取り外すことができる。
【００１９】
このように、本願発明によると、背たれ用インナー部材を背受け部材に取付けるにおいて、取付け強度の向上と、修理や廃棄後の分別等に際しての取り外しの容易性とを同時に達成できる。
【００２０】
また、背もたれ用インナー部材の下部と背受け部材との間に隙間が空いていてもその隙間は目立たないため、美感の悪化を招来することなく、背もたれ用インナー部材を簡単に取り外しできる構造にすることができる。
【００２１】
【発明の実施形態】
次に、本発明の実施形態を図面に基づいて説明する。
【００２２】
(1).第１実施形態（図１〜図13）
図１〜図１３では第１実施形態（主たる実施形態）を示している。これら図のうち図１は椅子の右側面図、図２は縦断右側面図、図３は分離斜視図であり、先ず、これらの図に基づいて椅子の基本構造を説明する。
【００２３】
(2).基本構造
椅子は、ガスシリンダ等の脚支柱１を備えた脚２と、脚支柱１の上端に固定した上向き開口の支持ベース３と、支持ベース３に上方から被さる上金具４と、上金具４の後方に配置した揺動フレーム５と、上金具４及び揺動フレーム５で支持した座６と、揺動フレーム５に取り付けた背部７とを備えている。脚支柱１は脚カバー８で覆われており、支持ベース３は上向きに開口したベースカバー９で下方から覆われている。
【００２４】
支持ベース３の底面には第１ブラケット１０を固着しており、この第１ブラケッ１０と支持ベース３とに固定したブッシュ１１に脚支柱１の上端を嵌着している。また、支持ベース３における左右両側板の前部には前後長手の長穴１２が空いており、この長穴１２と上金具４の側板とに第１ピン１３を挿入している。
【００２５】
支持ベース３の下面には、正面視で下向きコ字状の第２ブラケット１４を固着している。一方、揺動フレーム５は、第２ブラケット１４を左右外側から挟む形態であり、揺動フレーム５の前端部を左右長手の第２ピン１５で第２ブラケット１４に取付けている。
【００２６】
また、揺動フレーム５と上金具４とは左右長手の第３ピン１６で連結されている。図３に示すように、揺動フレーム５には、左右方向に広がる翼状の受け板１７を固着している。
【００２７】
支持ベース３の後部には、揺動フレーム５を貫通した下向きのロッド１８が回転不能に取付けられており、このロッド１８の先端部に設けたばね受け１９でコイルばね２０を支持しており、コイルばね２０で揺動フレーム５を受けている。コイルばね２０はホルダー２１に嵌まっている。
【００２８】
(3).座６の構造
図２に示すように、座６は、ポリプロピレンの合成樹脂からなる座用インナー部材２２と、その上面に張ったクッション２４とからなっており、座用インナー部材２２は、前部インナーシェル２２ａと後部インナーシェル２２ｂとに分割されている。クッション２４は前後インナーシェル２２ａ，２２ｂに跨がった状態に貼られている。
【００２９】
前部インナーシェル２２ａの前部には鉤状の前部キャッチ２３を設けて、これを上金具４の前端縁に前方から嵌め込んでいる。また、前部インナー部材２２ａには、上金具４の上面に載るスライダー部２５を一体に設けている。後部インナーシェル２２ｂの後端には、揺動フレーム５の後端縁に嵌合する鉤状の後部キャッチ２６を設けている。図では省略しているが、前部インナーシェル２２ａは、第３ピン１６の両端にも係合している。
【００３０】
着座した人が背部７にもたれ掛かると、揺動フレーム５がコイルばね２０に抗して後傾動すると共に、上金具４及び座６は後退しつつ後傾する。揺動フレーム５がある程度後傾すると、上金具４の後退動及び後傾動は停止し、座６だけが後退動する。前部インナーシェル２２ａと上金具４との相対動を許容するため、前部キャッチ２４と上金具４の前端面との間に隙間が空いている。図１に示すように、前部インナーシェル２２ａには、座用カバー（座用アウターシェル）２７を取り付けている。
【００３１】
(4).背部７の構造
背部７は、着座した人の腰を包むように平面視で前向き凹状に形成された腰部アウター部材（背受け部材）２８と、この腰部アウター部材２８の前面に取付けた背もたれ用インナー部材（芯板）２９とを備えている。
【００３２】
背もたれ用インナー部材２９は、その下半部が腰部アウター部材２８に取付いており、背もたれ用インナー部材２９のうち腰部アウター部材２８から露出した部分の背面には背カバー（背アウター部材）３０を取付けている。腰部アウター部材２８や背もたれ用インナー部材２９、背カバー３０はポリプロピレンのような合成樹脂で製造されている。
【００３３】
以下、背部７の詳細を図４以下の図面も参照して説明する。図４は腰部アウター部材２８の正面図、図５は腰部アウター部材２８の破断斜視図、図６は図４のVI−VI視断面図、図７は背もたれ用インナー部材と背カバー３０との分離正面図、図８（Ａ）は図７のＡ−Ａ視断面図、図８（Ｂ）は図７の B-B視断面図、図８（Ｃ）は図７のＣ−Ｃ視断面図、図９（Ａ）は図７の IXA-IXA視断面図、図９（Ｂ）は図７の IXB-IXB視断面図、図１０のうち（Ａ）は背部７を中央部分で切断した側断面図、 (B)は (A)の B-B視断面図、 (C)は (A)の部分拡大図、図１１は背部７を図７のＣ−Ｃ線箇所で切断した側断面図、図１２のうち (A)は図１０（Ａ）の部分拡大図、 (B)は (A)の B-B視図である。
【００３４】
(5).腰部アウター部材２８
図２及び図４〜図６に示すように、腰部アウター部材２８の下部２８ａは揺動フレーム５を囲うように樋状になっており、その底部には、ばね受けのホルダー２１が嵌まる穴３１が空いている。また、腰部アウター部材２８には、平面視で座６の後部と重なる段部２８ｂが形成されており、段部２８ｂの上方には、人が手の平をを挿入できる程度の大きさの窓穴３３が空いている。
【００３５】
また、腰部アウター部材２８の前面のうち段部２８ｂのやや上方には、水平状に長く延びる第１リブ３４が一体成形されており、図１３に示すように、揺動フレーム５の受け板１７をねじ２５で第１リブ３４に固定している。このため、図５に示すように、第１リブ３４にはねじ挿入穴３４ａが空いている。また、第６リブ４３もねじで揺動フレーム５の後端部に締結されており、このためねじ挿入穴４３ａが空いている。
【００３６】
更に、腰部アウター部材２８の左右段部２８ｂには前後方向に延びる第２リブ群３６を設けている。図１３の符号３７は肘掛け装置における支柱の下端部であり、図示しないねじで受け板１７に締結されている。
【００３７】
腰部アウター部材２８における前面の上部には、第１係合手雌の一環として、上向き鉤型係合爪３８を一体成形している。本実施形態では、上向き鉤型係合爪３８は、腰部アウター部材２８の中央部で上部の１ヶ所と、その左右両側に高さを変えて２個ずつ配置している。
【００３８】
また、腰部アウター部材２８の前面のうち第１リブ３４よりも上方の部位には、水平状に延びる第３リブ３９の群と上下方向に延びる第４リブ４０の群とを一体成形している。これらのリブ群３９，４０は、補強の機能と、腰部アウター部材２８と背もたれ用インナー部材２９との間隔を保持する機能とを兼ね備えている。
【００３９】
上から４段目の第３リブ３９は隙間４１を介して左右に分断されており、４段目の第３リブ３９において隙間４１を挟んだ両側の部位をストッパー４２と成している。このストッパー４２は、請求項に記載した第２係合手段の一環を成すものである。
【００４０】
腰部アウター部材２８のうち第１リブ３４よりも下方の部位には、左右一対の第５リブ４３と、その下方に位置した第６リブ４４とを設け、更に、底板のうち穴３１を挟んだ両側には側面視で傾斜状に延びる第７リブ４５を形成している。第５リブ４３によって受け板１７の浮き上がりが防止される。また、第６リブ４４は揺動フレーム５の内部に嵌まるようになっており、このため、揺動フレーム５は第６リブ４４によって左右ずれ不能に位置決めされる。更に、揺動フレーム５は第７リブ４５によって上下方向の位置決めがされている。
【００４１】
図２に示すように、座６における後部インナーシェル２２ｂの後端には、第１リブ３４に下方から係合する補助キャッチ４６が形成されている。補助キャッチ４６は、後部インナーシェル２２ｂを下向きに押さえ込むことにより、弾性に抗しての変形によって第１リブ３４に係合する。
【００４２】
(6).背もたれ用インナー部材29及び背カバー30
図４に一点鎖線で示すように、背もたれ用インナー部材２９は、その略過半部が腰部アウター部材２８と重なるように設定されている。また、例えば図１０に示すように、腰部アウター部材２８の前面にはクッション４８を張っている。
【００４３】
なお、背もたれ用インナー部材２９の高さは任意に設定でき、腰部アウター部材２８と完全に重なっても良いし、腰部アウター部材２８から大きく上向きに延びる形態でも良い。
【００４４】
図７，図８，図１０，図１２に示すように、背もたれ用インナー部材２９のうち腰部アウター部材２８と重なる部分の背面には、第１係合手段の一環として、腰部アウター部材２８の上向き鉤型係合爪３８に上方から嵌まり込む下向き鉤型係合爪４９を形成している。各下向き鉤型係合爪４９の箇所には、上向き鉤型係合爪３８を左右から挟むようにした側板３８ａを設けている。このため、背もたれ用インナー部材２９は左右動不能に位置決めされる。
【００４５】
図１２からよく理解できるように、背もたれ用インナー部材２９の下部で且つ左右中間部には、第２係合手段の一環として、腰部アウター部材２８のストッパー４２に下方から当たる上向きの板状係合爪５１を設けている。
【００４６】
板状係合爪５１は側面視で斜め上向きに延びており、腰部アウター部材２８と背もたれ用インナー部材２９との間の隙間に下方ら指５０を挿入して手前に押すと、ストッパー４２との係合を解除することができる。なお、指５０で板状係合爪５１の上端縁を強く押すことができるように、左右のストッパー４２の間に隙間４１が空いている。
【００４７】
背もたれ用インナー部材２９の裏面のうち腰部アウター部材２８の上端縁と重なる部分には、その全長にわたって延びる突条５２が形成されており、この突条５２の左右中間部と左右両端寄り部位とに上向き鉤状の受け爪５３を形成している（本実施形態の場合、中間部の受け爪５３は必要ない）。
【００４８】
このため、腰部アウター部材２８の上端縁と背もたれ用インナー部材２９との間には上向きに開口した隙間が空いており、この隙間に、背カバー３０の下端に形成した段違い部３０ａを差し込んでいる。また、背カバー３０の左右両端寄り部位には、背もたれ用インナー部材２９の受け爪５３に嵌まる前向き膨出部５４を形成している。
【００４９】
背カバー３０の前面には、左右一対のボス５５と３個の鉤型係止爪５６とを突設しており、背もたれ用インナー部材２９には、ボス５５が嵌まる位置決め穴５７と、鉤型係止爪５６がその弾性に抗しての変形によって嵌まる係合穴５８とを形成している。
【００５０】
この場合、背もたれ用インナー部材２９の上部が補強等のために凹凸構造になっていることから、ボス５５には、背もたれ用インナー部材２９との間隔を保持するためのリブ５９を形成している。また、鉤型係止爪５６は左右中央部と左右両端寄り部位とに配置されており、中央部に配置したものと左右両端寄り部位に配置したものとは爪の向きが変わっている。
【００５１】
なお、クッション４８はインサート成形法によって背もたれ用インナー部材２９に張られる。その場合、金型に設けたピンに位置決め穴５７を嵌めることにより、金型に対する背もたれ用インナー部材２９の位置決めが行われる。図７に示す符号６０も、背もたれ用インナー部材２９を金型内で位置決めするための穴である。
【００５２】
(7).まとめ
以上の説明から理解できるように、先ず、背カバー３０を背もたれ用インナー部材２９に取付けてから、背もたれ用インナー部材２９を腰部アウター部材２８の前面に重ねた状態で下向き動させて、板状係合爪５１を弾性変形させた状態で各下向き鉤型係合爪４９を上向き鉤型係合爪３８に嵌め込むと、板状係合爪５１が弾性変形してから戻り変形してストッパー４２に下方から係合し、背もたれ用インナー部材２９は腰部アウター部材２８に取付けられる。
【００５３】
この状態で、背もたれ用インナー部材２９は前方に移動不能になっているため、背もたれ用インナー部材２９にこれを引き起こす外力が作用しても外れることはない。また、背もたれ用インナー部材２９の下方から指を挿入して、板状係合爪５１を指で押してストッパー４２との係合を解除すると、背もたれ用インナー部材２９を簡単に取り外すことができる。
【００５４】
本実施形態のように、背カバー３０の下端縁を背もたれ用インナー部材２９と腰部アウター部材２８とで挟み込むと、背カバー３０と腰部アウター部材２８との外面を揃えることができて美感に優れると共に、背カバー３０の取付け強度も向上できる利点がある。また、背カバー３０のガタつきもなくすことができる。
【００５５】
なお、本実施形態のように背カバー３０を設ける場合、背もたれ用インナー部材２９への取付けは、本実施形態とは異なる係合手段を採用しても良い（ねじ止めも採用できる）。更に、背カバー３０を本願発明の方法で背もたれ用インナー部材２９に取付けてもよい。
【００５６】
(8).他の実施形態（図14〜図16）
図１４では、第１係合手段の別例である第２実施形態を示しており、腰部アウター部材２８と背もたれ用インナー部材２９とに、平面視鉤型で上下方向に延びる係合爪６１，６２を形成している。
【図面の簡単な説明】
【図１】第１実施形態に係る椅子の右側面図である。
【図２】縦断右側面図である。
【図３】分離斜視図である。
【図４】腰部アウター部材の正面図である。
【図５】腰部アウター部材の破断斜視図である。
【図６】図４のVI−VI視断面図である。
【図７】背もたれ用インナー部材と背カバーとの分離正面図である。
【図８】図７の A-A視、 B-B視、 C-C視断面図である。
【図９】図７の IXA-IXA視、 IXB-IXB視断面図である。
【図10】 (A)は背部の縦断側面図、 (B)は (A)の B-B視断面図、 (C)は (A)の部分拡大図である。
【図11】図７の C-C視線で切断した状態での背部の側断面図である。
【図12】 (A)は図７ (A)の部分拡大図、 (B)は (A)の B-B視図である。
【図13】揺動フレームと腰部アウター部材との関係を示す正断面図である。
【図14】第２実施形態を示す図である。
【符号の説明】
３  支持ベース
４  上金具
５  揺動フレーム
６  座
７  背部
１７  受け板
２２  座用インナー部材
２８  腰部アウター部材（背受け部材）
２９  背もたれ用インナー部材
３０  背カバー
３８  上向き鉤型係合爪（第１係合手段）
４２  ストッパー（第２係合手段）
４９  下向き鉤型係合爪（第１係合手段）
５１  板状係合爪（第２係合手段）
【図１】
0003776726.tif 000002
【図２】
0003776726.tif 000003
【図３】
0003776726.tif 000004
【図４】
0003776726.tif 000005
【図５】
0003776726.tif 000006
【図６】
0003776726.tif 000007
【図７】
0003776726.tif 000008
【図８】
0003776726.tif 000009
【図９】
0003776726.tif 000010
【図１０】
0003776726.tif 000011
【図１１】
0003776726.tif 000012
【図１２】
0003776726.tif 000013
【図１３】
0003776726.tif 000014
【図１４】
0003776726.tif 000015